(57)【要約】【課題】被験者の上腕及び足首に装着し易いカフを有する血圧脈波測定装置を提供する。【解決手段】下肢上肢血圧比及び脈波伝播速度を測定する血圧脈波測定装置であって、被験者の上肢の一部を押圧するための第１のカフと、被験者の下肢の一部を押圧するための第２のカフと、第１及び第２のカフに個々に接続された第１及び第２の配管と、第１のカフに第１の配管を介して接続され、第１の配管を伝播してくる第１の脈波を検出する第１の検出手段と、第２のカフに第２の配管を介して接続され、第２の配管を伝播してくる第２の脈波を検出する第２の検出手段と、第１及び第２の脈波を用いて足関節上腕血圧比及び脈波伝播速度を算出する制御部とを備え、第１の検出手段と制御部とは第１の筐体内に配置され、第２の検出手段は第２の筐体内に配置される。【選択図】図２
2017164301.tif 000002
【特許請求の範囲】
【請求項１】
下肢上肢血圧比及び脈波伝播速度を測定する血圧脈波測定装置であって、
被験者の上肢の一部を押圧するための第１のカフと、
上記被験者の下肢の一部を押圧するための第２のカフと、
上記第１及び第２のカフに個々に接続された第１及び第２の配管と、
上記第１のカフに上記第１の配管を介して接続され、上記第１の配管を伝播してくる第１の脈波を検出する第１の検出手段と、
上記第２のカフに上記第２の配管を介して接続され、上記第２の配管を伝播してくる第２の脈波を検出する第２の検出手段と、
上記第１及び第２の脈波を用いて足関節上腕血圧比及び脈波伝播速度をそれぞれ算出する制御部とを備え、
上記第１の検出手段と上記制御部とは第１の筐体内に配置され、上記第２の検出手段は第２の筐体内に配置されることを特徴とする血圧脈波測定装置。
【請求項２】
請求項１に記載の血圧脈波測定装置において、
上記第１の検出手段は、
上記第１の配管を介して上記第１のカフに空気を送り込み、上記第１のカフを加圧する第１の圧力ポンプと、
上記第１の配管を伝播してくる脈波を検出する第１の圧力センサとを含み、
上記第２の検出手段は、
上記第２の配管を介して上記第２のカフに空気を送り込み、上記第２のカフを加圧する第２の圧力ポンプと、
上記第２の配管を伝播してくる脈波を検出する第２の圧力センサとを含むことを特徴とする血圧脈波測定装置。
【請求項３】
請求項１または２に記載の血圧脈波測定装置において、
上記制御部は、上記第１の脈波に基づいて、上記被験者の血圧値を算出することを特徴とする血圧脈波測定装置。
【請求項４】
請求項１から３のうちのいずれか１つに記載の血圧脈波測定装置において、
上記脈波伝搬速度には、上腕−足首間脈波伝播速度及び心臓−足関節間動脈脈波伝播速度を含み、
上記制御部は、心臓−足関節間動脈脈波伝播速度に基づいて心臓足首血管指数を算出することを特徴とする血圧脈波測定装置。
【発明の詳細な説明】
【技術分野】
【０００１】
この発明は血圧脈波測定装置に関する。
【背景技術】
【０００２】
従来、下肢上肢血圧比（Ankle Brachial Index:ABI）は血管の詰まりを表す指標として、また脈波伝播速度（Pulse Wave Velocity:PWV）は血管の硬さを表す指標として、それぞれ動脈硬化の診断に広く用いられている。
【０００３】
ＡＢＩとＰＷＶとはそれぞれ単独でも使用される指標であるが、例えば動脈硬化が全身に及んだ場合、ＡＢＩのみの測定では正常範囲の値が得られることがあり、ＡＢＩの値が正常である場合、ＰＷＶによって全体の動脈硬化進行状況を把握することがより正確な診断の助けとなることが分かっている。
【０００４】
そのため、このような多面的な診断を容易にするため、近年では従来別装置であったＡＢＩ測定装置とＰＷＶ測定装置を一体化した測定装置が市場に出回っている。
【０００５】
従来、この種の血圧脈波測定装置としては、例えば特許文献１（特開２０００−３１６８２１号公報）に開示されているように、上腕用及び足首用の４つのカフが本体に接続されており、これらのカフを被験者の四肢にそれぞれ取り付けて測定する装置が知られている。
【先行技術文献】
【特許文献】
【０００６】
【特許文献１】特開２０００−３１６８２１号公報
【発明の概要】
【発明が解決しようとする課題】
【０００７】
しかしながら、上述した血圧脈波測定装置では、上腕用及び足首用のカフを被験者の上腕及び足首にそれぞれ装着するには、略同じ場所から伸びている配管を伸ばして被験者の上腕及び足首に装着しなければならず、複数の配管が互いに絡まってしまい非常に労力と時間がかかる。
【０００８】
そこで、この発明の課題は、複数の配管が互いに絡まることなしに、被験者の上腕及び足首にカフを容易に装着できる血圧脈波測定装置を提供することにある。
【課題を解決するための手段】
【０００９】
上記課題を解決するため、この発明の血圧脈波測定装置は、
下肢上肢血圧比及び脈波伝播速度を測定する血圧脈波測定装置であって、
被験者の上肢の一部を押圧するための第１のカフと、
上記被験者の下肢の一部を押圧するための第２のカフと、
上記第１及び第２のカフに個々に接続された第１及び第２の配管と、
上記第１のカフに上記第１の配管を介して接続され、上記第１の配管を伝播してくる第１の脈波を検出する第１の検出手段と、
上記第２のカフに上記第２の配管を介して接続され、上記第２の配管を伝播してくる第２の脈波を検出する第２の検出手段と、
上記第１及び第２の脈波を用いて足関節上腕血圧比及び脈波伝播速度をそれぞれ算出する制御部とを備え、
上記第１の検出手段と上記制御部とは第１の筐体内に配置され、上記第２の検出手段は第２の筐体内に配置されることを特徴とする。
【００１０】
本明細書で、脈波伝播速度とは、典型的には、上腕−足首間脈波伝播速度ｂａＰＷＶ（brachial-ankle Pulse Wave Velocity）及び心臓−足関節間動脈脈波伝播速度ｈａＰＷＶ（heart-ankle Pulse Wave Velocity）を指す。なお、心臓から足首までの動脈の硬さを反映する指標となる心臓足首血管指数（ＣＡＶＩ）（Cardio Ankle Vascular Index）は、心臓−足関節間動脈脈波伝播速度ｈａＰＷＶを対数脈波で補正することにより算出することが可能である。また、下肢上肢血圧比は、典型的には、足関節上腕血圧比ＡＢＩ（Ankle Brachial Pressure Index）を指す。
【００１１】
この発明の血圧脈波測定装置では、上腕用のカフが接続された第１の筐体と、足首用のカフが接続された第２の筐体とが分離されている。従って、上腕用及び足首用のカフを被験者の上腕及び足首に装着するときに、足首の近傍に第２の筐体を配置することが可能となる。そのため、上腕用のカフに接続された配管と足首用のカフに接続された配管とが互いに絡まることなしにそれぞれのカフを被験者の四肢に容易に装着することが可能となる。
【００１２】
一実施形態の血圧脈波測定装置では、
上記第１の検出手段は、
上記第１の配管を介して上記第１のカフに空気を送り込み、上記第１のカフを加圧する第１の圧力ポンプと、
上記第１の配管を伝播してくる脈波を検出する第１の圧力センサとを含み、
上記第２の検出手段は、
上記第２の配管を介して上記第２のカフに空気を送り込み、上記第２のカフを加圧する第２の圧力ポンプと、
上記第２の配管を伝播してくる脈波を検出する第２の圧力センサとを含むことを特徴とする。
【００１３】
この発明の血圧脈波測定装置では、上腕用のカフが接続された第１の筐体と、足首用のカフが接続された第２の筐体とが分離されている。そのため、第１の配管の長さと、第２の配管の長さとを略同一となるように調整することができる。従って、上腕で検出された脈波が検出されるタイミングと足首で検出された脈波が検出されるタイミングとを略同一とすることができるので、ＡＢＩ及びＰＷＶの測定精度を向上させることが可能となる。
【００１４】
一実施形態の血圧脈波測定装置では、
上記制御部は、上記第１の脈波に基づいて、上記被験者の血圧値を算出することを特徴とする。
【００１５】
この発明の血圧脈波測定装置では、上腕用のカフが接続された第１の筐体と、足首用のカフが接続された第２の筐体とが分離されている。従って、被験者の血圧のみを測定する場合には、上腕用のカフのみを被験者の上腕に装着して血圧測定することが可能となる。
【００１６】
一実施形態の血圧脈波測定装置では、
上記脈波伝搬速度には、上腕−足首間脈波伝播速度ｂａＰＷＶ（brachial-ankle Pulse Wave Velocity）及び心臓−足関節間動脈脈波伝播速度ｈａＰＷＶ（heart-ankle Pulse Wave Velocity）を含み、
上記制御部は、上記心臓−足関節間動脈脈波伝播速度ｈａＰＷＶを対数脈波で補正することにより心臓足首血管指数（ＣＡＶＩ）（Cardio Ankle Vascular Index）を算出することを特徴とする。
【００１７】
この発明の血圧脈波測定装置では、心臓−足関節間動脈脈波伝播速度ｈａＰＷＶに基づいて心臓足首血管指数を算出することが可能となる。
【発明の効果】
【００１８】
以上より明らかなように、この発明の血圧脈波測定装置によれば、被験者の上腕及び足首にカフを容易に装着することが可能となる。
【図面の簡単な説明】
【００１９】
【図１】本発明の実施形態に係る血圧脈波測定装置１００が収納ワゴン３００に収納された状態を示す斜視図である。
【図２】図１の血圧脈波測定装置１００が使用される態様を示す斜視図である。
【図３】図１の血圧脈波測定装置１００の内部の制御系の構成を概略的に示すブロック図である。
【図４】図１の血圧脈波測定装置１００が実行する下肢上肢血圧比及び脈波伝播速度測定処理を示すフローチャートである。
【発明を実施するための形態】
【００２０】
以下、本発明に係る実施形態について図面を参照して説明する。なお、以下の各実施形態において、同様の構成要素については同一の符号を付して説明を省略する。
【００２１】
図１は本発明の実施形態に係る血圧脈波測定装置１００が収納ワゴン３００に収納された状態を示す斜視図である。この血圧脈波測定装置１００は、第１の筐体であるメインユニット１０１と、第２の筐体であるアンクルユニット１０２と、４つのカフ２４ａｒ，２４ａｌ，２４ｂｒ，２４ｂｌとを含んでいる。収納ワゴン３００は、キャスター付きの脚３０１と、この脚３０１に立設された支柱３０２と、支柱３０２の先端に取り付けられた載置台３０３と、支柱３０２の途中に取り付けられ、上方に向かって開口した収納ボックス３０４とを含んでいる。載置台３０３には、メインユニット１０１が載置されている。収納ボックス３０４には、アンクルユニット１０２と、右足首（右下肢）、左足首（左上肢）用のカフ２４ａｒ，２４ａｌが収容されている。右上腕（右上肢）、左上腕（左上肢）用のカフ２４ｂｒ，２４ｂｌは、メインユニット１０１の後部に設けられたフック１０１ｅ，１０１ｆ（図２中に示す）に引っ掛けられて保持されている。
【００２２】
アンクルユニット１０２と、右足首（右下肢）、左足首（左上肢）用のカフ２４ａｒ，２４ａｌとは、カフ加圧用の空気を通すための配管２２ａｒ，２２ａｌによって接続されている。同様に、メインユニット１０１と右上腕（右上肢）、左上腕（左上肢）用のカフ２４ｂｒ，２４ｂｌとは、カフ加圧用の空気を通すための配管２２ｂｒ，２２ｂｌによって接続されている。また、メインユニット１０１は、アンクルユニット１０２に対して、接続ケーブル２３によって電力供給および通信可能に接続されている。
【００２３】
図２は図１の血圧脈波測定装置１００が使用される態様を示す斜視図である。図２に示すように、被験者２００はベッド３１０上に仰向けに横たわっている。アンクルユニット１０２は、収納ボックス３０４から取り出され、被験者２００の右足首と左足首との間のベッド３１０上に載置されている。
【００２４】
カフ２４ａｒ，２４ａｌ，２４ｂｒ，２４ｂｌは、それぞれ被験者２００の肢部に装着される。具体的には、それぞれ、右足首（右下肢）、左足首（左上肢）、右上腕（右上肢）、左上腕（左上肢）に装着される。
【００２５】
上述したように、上腕用のカフ２４ｂｒ，２４ｂｌが接続されたメインユニット１０１と、足首用のカフ２４ａｒ，２４ａｌが接続されたアンクルユニット１０２とが分離されている。従って、上腕用及び足首用のカフ２４ｂｒ，２４ｂｌ，２４ａｒ，２４ａｌを被験者２００の上腕及び足首に装着するときに、足首の近傍にアンクルユニット１０２を配置することが可能となる。そのため、上腕用のカフ２４ｂｒ，２４ｂｌに接続された配管２２ｂｒ，２２ｂｌと足首用のカフ２４ａｒ，２４ａｌに接続された配管２２ａｒ，２２ａｌとが互いに絡まることなしにそれぞれのカフを被験者２００の四肢に容易に装着することが可能となる。
【００２６】
なお、以下の説明では、専ら、右足首、左足首、右上腕、左上腕に装着される例について説明する。ただし、「肢部」とは、四肢に含まれる部位を表わし、手首や指尖部などであってもよい。カフ２４ａｒ，２４ａｌ，２４ｂｒ，２４ｂｌは、特に区別する必要がない限り、これらを総称して、「カフ２４」と呼ぶ。
【００２７】
図３は図１の血圧脈波測定装置１００の内部の制御系の構成を概略的に示すブロック図である。図３に示すように、アンクルユニット１０２は、２つの検出ユニット２０ａｒ，２０ａｌを含む。メインユニット１０１は、情報処理ユニット１と、２つの検出ユニット２０ｂｒ，２０ｂｌとを含む。
【００２８】
検出ユニット２０ａｒ，２０ａｌ，２０ｂｒ，２０ｂｌは、それぞれ、被験者２００の肢部の脈波を検出するために必要なハードウェアを含む。検出ユニット２０ａｒ，２０ａｌ，２０ｂｒ，２０ｂｌの構成は全て同様であってよいので、特に区別する必要がない限り、これらを総称して、「検出ユニット２０」と呼ぶ。
【００２９】
情報処理ユニット１は、制御部２と、出力部４と、操作部６と、記憶装置８とを含む。
【００３０】
制御部２は、血圧脈波測定装置１００全体の制御を行う装置であり、代表的に、ＣＰＵ（Central Processing Unit）１０と、ＲＯＭ（Read Only Memory）１２と、ＲＡＭ（Random Access Memory）１４とを含むコンピュータで構成される。
【００３１】
ＣＰＵ１０は、演算処理部に相当し、ＲＯＭ１２に予め格納されているプログラムを読出して、ＲＡＭ１４をワークメモリとして使用しながら、当該プログラムを実行する。
【００３２】
また、制御部２には、出力部４、操作部６および記憶装置８が接続されている。出力部４は、測定された脈波や脈波解析結果などを出力する。出力部４は、ＬＥＤ（Light Emitting Diode）またはＬＣＤ（Liquid Crystal Display）などで構成される表示デバイスであってもよいし、プリンタ（ドライバ）であってもよい。この例では、図１、図２中に示すように、メインユニット１０１の上面に、出力部４としてＬＣＤの表示画面４０が設けられている。
【００３３】
図３中に示す操作部６は、ユーザからの指示を受付ける。この例では、図１、図２中に示すように、メインユニット１０１の上面に、操作部６として操作スイッチ６０が設けられている。ユーザは操作スイッチ６０によって電源オン、オフ、血圧測定開始などの指示を入力することができる。
【００３４】
図３中に示す記憶装置８は、各種データやプログラムを保持する。制御部２のＣＰＵ１０は、記憶装置８に記録されたデータやプログラムの読み出しや書き込みを行う。記憶装置８は、たとえば、ハードディスク、不揮発性メモリ（たとえば、フラッシュメモリ）、あるいは、着脱可能な外部記録媒体などにより構成されてよい。
【００３５】
次に、各検出ユニット２０の構成について具体的に説明する。
【００３６】
検出ユニット２０ｂｒは、カフ２４ｂｒに配管２２ｂｒを介して接続され、配管２２ｂｒを伝播してくる脈波を検出する検出手段である。詳細には、検出ユニット２０ｂｒは、被験者２００の右上腕に装着されたカフ２４ｂｒの内圧（以下、「カフ圧」という）の調整および検出を行うことで、右上腕における脈波を検出する。カフ２４ｂｒは、図示のない流体袋（この例では、空気袋）を内包している。
【００３７】
検出ユニット２０ｂｒは、圧力センサ２８ｂｒと、カフ駆動部３１ｂｒと、Ａ／Ｄ（Analog to Digital）変換部２９ｂｒと、配管２７ｂｒとを含む。カフ駆動部３１ｂｒは、配管２２ｂｒを介してカフ２４ｂｒに空気を送り込み、カフ２４ｂｒを加圧する。また、カフ駆動部３１ｂｒは、調整弁２６ｂｒと、圧力ポンプ２５ｂｒとを含む。カフ２４ｂｒと、圧力センサ２８ｂｒ，調整弁２６ｂｒとは、配管２２ｂｒによって接続されている。
【００３８】
圧力センサ２８ｂｒは、配管２２ｂｒを介して伝達される圧力変動を検出するための検出部位であり、一例として、単結晶シリコンなどからなる半導体チップに所定間隔に配列された複数のセンサエレメントを含む。圧力センサ２８ｂｒによって検出された圧力変動信号は、Ａ／Ｄ変換部２９ｂｒによってデジタル信号に変換されて、脈波信号ｐｂｒ（ｔ）として制御部２に入力される。
【００３９】
調整弁２６ｂｒは、圧力ポンプ２５ｂｒとカフ２４ｂｒとの間に介挿され、測定時にカフ２４ｂｒの加圧に用いられる圧力を所定の範囲に維持する。圧力ポンプ２５ｂｒは、制御部２からの検出指令に応じて作動し、カフ２４ｂｒを加圧するためにカフ２４ｂｒ内の流体袋（図示せず）に空気を供給する。
【００４０】
この加圧によって、カフ２４ｂｒは測定部位に押圧され、右上腕の脈波に応じた圧力変化がそれぞれ配管２２ｂｒを介して検出ユニット２０ｂｒへ伝達される。検出ユニット２０ｂｒは、この伝達される圧力変化を検出することで、右上腕の脈波を検出する。
【００４１】
検出ユニット２０ｂｌも同様に、圧力センサ２８ｂｌと、調整弁２６ｂｌと、圧力ポンプ２５ｂｌと、Ａ／Ｄ変換部２９ｂｌと、配管２７ｂｌとを含む。カフ２４ｂｌと、圧力センサ２８ｂｌ，調整弁２６ｂｌとは、配管２２ｂｌによって接続されている。
【００４２】
また、検出ユニット２０ａｒは、圧力センサ２８ａｒと、調整弁２６ａｒと、圧力ポンプ２５ａｒと、Ａ／Ｄ変換部２９ａｒと、配管２７ａｒとを含む。カフ２４ａｒと、圧力センサ２８ａｒ，調整弁２６ａｒとは、配管２２ａｒによって接続されている。
【００４３】
検出ユニット２０ａｌも同様に、圧力センサ２８ａｌと、調整弁２６ａｌと、圧力ポンプ２５ａｌと、Ａ／Ｄ変換部２９ａｌと、配管２７ａｌとを含む。カフ２４ａｌと、圧力センサ２８ａｌ，調整弁２６ａｌとは、配管２２ａｌによって接続されている。
【００４４】
検出ユニット２０ｂｌ，２０ａｒ，２０ａｌ内の各部の機能は、検出ユニット２０ｂｒと同様であるので、詳細な説明は繰返さない。また、検出ユニット２０内の各部についても、特に区別する必要がない限り、“ａｒ”，“ｂｒ”などの記号は省略して説明する。
【００４５】
ここで、配管２２ｂｒ，２２ｂｌの長さと、配管２２ａｒ，２２ａｌの長さとが異なる場合には、上腕で検出された脈波が検出されるタイミングと、足首で検出された脈波が検出されるタイミングとに遅延が生じ、ＡＢＩ及びＰＷＶの測定精度に誤差が生じることとなる。これに対して、血圧脈波測定装置１００では、上腕用のカフ２４ｂｒ，２４ｂｌが接続されたメインユニット１０１と、足首用のカフ２４ａｒ，２４ａｌが接続されたアンクルユニット１０２とが分離されているので、配管２２ｂｒ，２２ｂｌの長さと、配管２２ａｒ，２２ａｌの長さとを略同一となるように調整することができる。従って、上腕で検出された脈波が検出されるタイミングと足首で検出された脈波が検出されるタイミングとを略同一とすることができるので、ＡＢＩ及びＰＷＶの測定精度を向上させることが可能となる。
【００４６】
この血圧脈波測定装置１００は、制御部２（特にＣＰＵ１０）による制御によって、後述する図４の処理フローに示すように、公知のオシロメトリック法による血圧値測定を行うとともに、脈波検出を行って、脈波伝播速度として上腕−足首間脈波伝播速度ｂａＰＷＶ（brachial-ankle Pulse Wave Velocity）及び心臓−足関節間動脈脈波伝播速度ｈａＰＷＶ（heart-ankle Pulse Wave Velocity）を求めるとともに、下肢上肢血圧比として足関節上腕血圧比ＡＢＩ（Ankle Brachial Pressure Index）を求める。すなわち、制御部２は、各検出ユニット２０ｂｒ，２０ｂｌ，２０ａｌ，２０ａｒにより検出された脈波を用いて足関節上腕血圧比（ＡＢＩ）及び脈波伝播速度（ＰＷＶ）を算出する。また、制御部２は、２０ｂｒ，２０ｂｌにより検出された脈波を用いて被験者の血圧値を算出する。さらに、制御部２は、心臓−足関節間動脈脈波伝播速度ｈａＰＷＶに基づいて算出されるＣＡＶＩ（Cardio Ankle Vascular Index）などの指標も算出する。ここで、制御部２は、心臓−足関節間動脈脈波伝播速度ｈａＰＷＶを対数脈波で補正することによりＣＡＶＩを算出する。知られているように、上腕−足首間脈波伝播速度ｂａＰＷＶ及び心臓−足関節間動脈脈波伝播速度ｈａＰＷＶは血管の硬さを示す指標であり、また、足関節上腕血圧比ＡＢＩは血管の詰まりを示す指標である。
【００４７】
以上のように構成された血圧脈波測定装置１００の動作について以下に説明する。
【００４８】
図４は図１の血圧脈波測定装置１００が実行する下肢上肢血圧比及び脈波伝播速度測定処理を示すフローチャートである。具体的には、測定を開始すると、図４のステップＳ１に示すように、各検出ユニット２０内のポンプ２５を駆動して、各カフ２４の昇圧を開始する。
【００４９】
そして、ステップＳ２に示すように、圧力センサ２８でカフ圧を監視しながら、カフ圧を所定の圧力（被験者２００の最高血圧より高い圧力）まで加圧してポンプ２５を停止する（カフ昇圧完了）。次に、ステップＳ３に示すように、調整弁２６を制御して、各カフ２４の降圧を開始し、カフ圧を徐々に減圧してゆく。この減圧過程において、測定部位の動脈で発生する動脈容積の変動を各カフ２４を介して、圧力センサ２８で脈波信号として検出する。
【００５０】
そして、ステップＳ４に示すように、この脈波信号の振幅に基づいて、公知のオシロメトリック法による所定のアルゴリズムを適用して最高血圧（収縮期血圧：Systolic Blood Pressure）と最低血圧（拡張期血圧：Diastolic Blood Pressure）とを算出する（血圧測定）。これとともに、ＣＰＵ１０が下肢上肢血圧比取得部として働いて、被験者２００の左半身、右半身について、それぞれ足関節上腕血圧比ＡＢＩ＝（足関節収縮期血圧）／（上腕収縮期血圧）を算出する。また、この例では、脈拍（単位；拍／分）も算出する。なお、血圧の算出は、減圧過程に限らず、加圧過程において行われてもよい。
【００５１】
次に、ステップＳ５に示すように、調整弁２６を閉鎖して、カフ圧を規定圧（例えば５０ｍｍＨｇ程度）に保持する。この状態で、ステップＳ６に示すように、ＣＰＵ１０が脈波伝播速度取得部として働いて、圧力センサ２８によって測定された脈波に基づいて、被験者の血管の硬さを表す指標である脈波伝播速度を取得する
【００５２】
測定が完了すると、図４のステップＳ７に示すように、調整弁２６を全開してカフ圧を開放する。そして、ステップＳ８に示すように、ＣＰＵ１０が表示処理部として働いて、メインユニット１０１の上面に設けられた表示画面４０（図２参照）に測定結果を表示する。
【００５３】
なお、本実施の形態では、圧力センサ２８を用いて脈波を検出する構成について説明したが、動脈容積センサ（図示せず）を用いて脈波を検出する構成であってもよい。この場合、動脈容積センサは、例えば、動脈に対して光を照射する発光素子と、発光素子によって照射された光の動脈の透過光または反射光を受光する受光素子とを含んでよい。あるいは、複数の電極を含み、被験者２００の測定部位に微少の一定電流を流すとともに、脈波の伝播に応じて生じるインピーダンス（生体インピーダンス）の変化によって生じる電圧変化を検出するようにしてもよい。
【００５４】
以上の実施形態は例示であり、この発明の範囲から離れることなく様々な変形が可能である。
【符号の説明】
【００５５】
１  情報処理ユニット
２  制御部
４  出力部
６  操作部
８  記憶装置
１０  ＣＰＵ
１２  ＲＯＭ
１４  ＲＡＭ
２０ａｒ，２０ａｌ，２０ｂｒ，２０ｂｌ  検出ユニット
２２ａｒ，２２ａｌ，２２ｂｒ，２２ｂｌ，２７ａｒ，２７ａｌ，２７ｂｒ，２７ｂｌ  配管
２３  接続ケーブル
２４ａｒ，２４ａｌ，２４ｂｒ，２４ｂｌ  カフ
２５ａｒ，２５ａｌ，２５ｂｒ，２５ｂｌ  圧力ポンプ
２６ａｒ，２６ａｌ，２６ｂｒ，２６ｂｌ  調整弁
２８ａｒ，２８ａｌ，２８ｂｒ，２８ｂｌ  圧力センサ
２９ａｒ，２９ａｌ，２９ｂｒ，２９ｂｌ  Ａ／Ｄ変換部
４０  表示画面
６０  操作スイッチ
１００  血圧脈波測定装置
１０１  メインユニット
１０１ｅ，１０１ｆ  フック
１０２  アンクルユニット
２００  被験者
３００  収納ワゴン
３０１  脚
３０２  支柱
３０３  載置台
３０４  収納ボックス
【図１】
2017164301.tif 000003
【図２】
2017164301.tif 000004
【図３】
2017164301.tif 000005
【図４】
2017164301.tif 000006